(57)【要約】【課題】組み立て工数の増加を抑え、安価に盗難予防機能を備えた収納筐体を提供する。【解決手段】収納筐体１０に光センサー１６、音センサー１７などを取付け、上記各センサーから発する信号を受けて発音体、警告灯などを機能させる。太陽光発電基板により発電された電力を蓄電し、蓄電された電力により発音体、警告灯などを機能させる。上記収納筐体１０の鴨居部１３は、その下面を、扉を嵌めるレールまたは戸当たりとし、上側にダクトを形成し、このダクト内に太陽光発電基板１４、光センサー１６、音センサー１７、図示しない温度センサー、発音体１８、パイロットランプ１９、図示しない点滅灯などを配置・配線してなる。【選択図】図１
0003105795.tif 000002
【実用新案登録請求の範囲】
【請求項１】
収納筐体に光センサー、音センサー、温度センサーの少なくとも一つを取付け、上記センサーから発する信号を受けて発音体、警告灯の少なくとも一つを機能させる機構を備えてなる収納筐体。
【請求項２】
上記各センサー、発音体、警告灯は、太陽光発電基板により発電された電力を蓄電し、蓄電された電力により機能するようにしてなる請求項１に記載の収納筐体。
【請求項３】
上記収納筐体の鴨居部は、その下面を、扉を嵌めるレールまたは戸当たりとし、上側にダクトを形成し、このダクト内に太陽光発電基板、光センサー、音センサー、温度センサーの少なくとも一つと、発音体、警告灯を配置・配線してなる請求項１または２に記載の収納筐体。
【請求項４】
上記ダクトの前面に、電源操作用の光センサーを配置し、この光センサーが太陽光を受けて電力を出力しているときは電源回路を開き、夜間において出力が低下したときは電源回路を閉じるようにしてなる請求項1乃至３のいずれかに記載の収納筐体。
【考案の詳細な説明】
【技術分野】
【０００１】
この考案は、自己発電した電力により警報を発し、警告灯を点滅させるようにした収納筐体に関する。
【背景技術】
【０００２】
玄関やガレージなど家屋に人が近づく、それを検知して照明が点灯し、警告音が発するセンサー装置が市販されている。
【０００３】
一方、屋内屋外で据え付けて利用される一般的な物置には、扉に錠前が取付けられている程度で、不審人物が近づいたり、不正に扉を開けられたりしたときに警報を発し、警告灯を点滅させるようなものは見られなかった。
【考案の開示】
【考案が解決しようとする課題】
【０００４】
上記のような状況の下で屋内外に据え付け利用される物置のような収納筐体に、不審人物が近づいたり、収納筐体の錠前を不正に開けようとしたとき、警報を発し、警告灯を点滅させたり、あるいは、強力な照明で盗難事故を未然に防止できる収納筐体の開発が待たれている。
【０００５】
上記状況に鑑みこの考案は、通常の収納筐体に太陽光発電基板を配設し、この太陽光発電基板の出力を蓄電し、この電力でもって光センサー、音センサー、温度センサーの少なくとも一つと、上記センサーの出力信号により、警報、警告灯の点滅、強力な照明などを行い、また場合によっては、昼間は上記発音体等が機能しないように電源を遮断し、夜間のみ機能が働くようにした収納筐体を提供しようとするものである。とりわけ、この考案は、鴨居部の構造に工夫を加え、上記太陽光発電基板、各センサー、発音体等を集中収容してコストアップを抑え、安価に盗難予防機能をもつ収納筐体を提供することを課題とする。
【課題を解決するための手段】
【０００６】
上記課題を解決するためにこの考案は、収納筐体に光センサー、音センサー、温度センサーの少なくとも一つを取付け、上記センサーから発する信号を受けて発音体、警告灯の少なくとも一つを機能させる機構を備え（請求項１）たもので、上記各センサー、発音体、警告灯は、太陽光発電基板により発電された電力を蓄電し、蓄電された電力により機能するようにし（請求項２）上記収納筐体の鴨居部は、その下面を、扉を嵌めるレールまたは戸当たりとし、上側にダクトを形成し、このダクト内に太陽光発電基板、光センサー、音センサー、温度センサーの少なくとも一つと、発音体、警告灯を配置・配線し（請求項３）てなり、上記ダクトの前面に、電源操作用の光センサーを配置し、この光センサーが太陽光を受けて電力を出力しているときは電源回路を開き、夜間において出力が低下したときは電源回路を閉じるように（請求項４）してなる構成としたものである。
【考案の効果】
【０００７】
上記の如く構成するこの考案によれば、収納筐体の鴨居部の構造に工夫を加えて特別な構造としたので、上記太陽光発電基板、各センサー、発音体等を収納筐体の前面に集中収容したので製造コストを抑え、安価に盗難予防効果を発揮する収納筐体を提供することが可能となった。
【考案を実施するための最良の形態】
【０００８】
次にこの考案の実施の形態を、図面を参照しながら説明する。図1は、収納筐体１０の正面図で、引き違い扉１１が嵌る開口部１２の上、鴨居部１３の左端には太陽光発電基板１４が取付けられ、ほぼ中央は多数のパンチホール１５が開けられ、その後方に光センサー１６、音センサー１７と発音体１８が取付けられ、その右寄りにパイロットランプ１９あるいは警告のための点滅灯（図示せず）が取付けられている。
【０００９】
また、図面には現れていないが蓄電器が設置されて太陽光発電基板１４で発電された電力は一旦蓄電器に蓄電される。
【００１０】
また、光センサー１６、音センサー１７に加えて図示しない温度センサーも取付けることができ、ダクト内に図示しないマイクロコンピューターをセットして、警報・警告時間の設定や、昼間は機能を停止させ、夜間のみ機能するようにすることができる。また、昼間・夜間の機能切り替えのために、昼・夜を峻別する光センサーを配設し、この出力をリレーに繋ぎリレーのＢ接点で発音体等の機能を、昼間は遮断、夜間にのみ機能するようにすることができる。なお、扉を観音開きにするときは鴨居部のレールを戸当たりとする。
【００１１】
上記鴨居部１３の構造は、図２に示すように下面に引き違い扉１１（図１参照）が嵌るレール２０が形成され、上側に太陽光発電基板１４、光センサー１６、音センサー１７、図示しない温度センサー、発音体１８、パイロットランプ１９または図示しない点滅灯などを収容するダクト２１となっている。
【００１２】
上記のようにダクト２１を工夫することにより、鴨居部１３を取付ける前に、予め各部品・部材を取付け配線しておくことにより、取付け金具２２を使って、従来の収納筐体１０の組み立てと変わらない工数で組み立てることができる。
【産業上の利用可能性】
【００１３】
以上説明したようにこの考案には、収納筐体の鴨居の構造に工夫を加えて特別な構造としたので、太陽光発電基板、各センサー、発音体等を収納筐体の前面に集中収容したため製造のコストアップを抑え、安価に盗難予防効果を発揮する収納筐体を提供することができるので産業上の利用価値が極めて高い。
【図面の簡単な説明】
【００１４】
【図１】収納筐体の正面図
【図２】鴨居部の拡大斜視図
【符号の説明】
【００１５】
１０  収納筐体
１１  引き違い扉
１２  開口部
１３  鴨居部
１４  太陽光発電基板
１５  パンチホール
１６  光センサー
１７  音センサー
１８  発音体
１９  パイロットランプ
２０  レール
２１  ダクト
２２  取付け金具
【図１】
0003105795.tif 000003
【図２】
0003105795.tif 000004